(57)【要約】【課題】光ディスク装置からホストコンピュータにデータを転送する場合光ディスク装置からのストローブ信号を制御することで信頼性の向上をはかる。【解決手段】光ディスク装置と、該光ディスク装置に接続するホストコンピュータとを含み、ホストコンピュータはＣＲＣコード生成手段を持ち、光ディスク装置は、試験的データをホストコンピュータに転送する手段と、試験的データに対しストローブ信号を微小間隔で立ち上がり又は立ち下がりをずらして生成する手段と、ホストコンピュータのＣＲＣコード生成手段からのＣＲＣコードと光ディスク装置内で生成されるＣＲＣコードとを比較することによりホストコンピュータに対するデータ転送が正常か非正常かを検出する手段と、上記の検出する手段が生成する複数の信号を基にして適切なストローブ信号を選択するストローブ信号制御手段とを持つ、光ディスクインターフェースシステムを提供する。【選択図】図３
2004334578.tif 000002
【特許請求の範囲】
【請求項１】
ＣＲＣコード生成手段を持つホストコンピュータと接続する光ディスク装置において、
試験的なデータをホストコンピュータに転送する手段と、
上記の試験的なデータに対してストローブ信号を微小間隔で立ち上がり又は立ち下がりをずらして生成する手段と、
上記ホストコンピュータの上記ＣＲＣコード生成手段からのＣＲＣコードと、光ディスク装置内で生成されるＣＲＣコードとを比較することにより、ホストコンピュータに対するデータ転送が正常か非正常かを検出する手段と、
上記のホストコンピュータに対するデータ転送が正常か非正常かを検出する手段が生成する複数の信号を基にして、適切なストローブ信号を選択するストローブ信号制御手段とを含む、
光ディスク装置。
【請求項２】
光ディスク装置と、該光ディスク装置に接続するホストコンピュータとを含み、
上記ホストコンピュータは、ＣＲＣコード生成手段を持ち、
上記光ディスク装置は、
試験的なデータをホストコンピュータに転送する手段と、
上記の試験的なデータに対してストローブ信号を微小間隔で立ち上がり又は立ち下がりをずらして生成する手段と、
上記ホストコンピュータの上記ＣＲＣコード生成手段からのＣＲＣコードと、光ディスク装置内で生成されるＣＲＣコードとを比較することにより、ホストコンピュータに対するデータ転送が正常か非正常かを検出する手段と、
上記のホストコンピュータに対するデータ転送が正常か非正常かを検出する手段が生成する複数の信号を基にして、適切なストローブ信号を選択するストローブ信号制御手段とを持つ、
光ディスクインターフェースシステム。
【請求項３】
転送されてくるデータに対してストローブ信号を微小間隔で立ち上がり又は立ち下がりをずらして連続的に生成する手段と、ＣＲＣコード生成手段とを持つホストコンピュータに接続する光ディスク装置において、
上記ホストコンピュータの上記ＣＲＣコード生成手段からのＣＲＣコードと、光ディスク装置内で生成されるＣＲＣコードとを比較することにより、ホストコンピュータに対するデータ転送が正常か非正常かを検出する手段と、
上記のホストコンピュータに対するデータ転送が正常か非正常かを検出する手段が生成する複数の信号を基にして、適切なストローブ信号を選択するストローブ信号制御手段とを含む、
光ディスク装置。
【請求項４】
光ディスク装置と、該光ディスク装置に接続するホストコンピュータとを含み、
上記ホストコンピュータは、転送されてくるデータに対してストローブ信号を微小間隔で立ち上がり又は立ち下がりをずらして連続的に生成する手段と、ＣＲＣコード生成手段とを持ち、
上記光ディスク装置は、
上記ホストコンピュータの上記ＣＲＣコード生成手段からのＣＲＣコードと、光ディスク装置内で生成されるＣＲＣコードとを比較することにより、ホストコンピュータに対するデータ転送が正常か非正常かを検出する手段と、
上記のホストコンピュータに対するデータ転送が正常か非正常かを検出する手段が生成する複数の信号を基にして、適切なストローブ信号を選択するストローブ信号制御手段とを持つ、
光ディスクインターフェースシステム。
【発明の詳細な説明】
【０００１】
【発明の属する技術分野】
本発明は、ＣＲＣチェック機能を伴う光ディスク装置に関する。
【０００２】
【従来の技術】
図８は、一般的な光ディスク装置２のブロック図である。該光ディスク装置２は、光ディスクを回すスピンドルモータ４、レーザピックアップ６、及び信号処理系統部を含む。更に信号処理系統部は、検出された信号をデジタルデータへ変換するＲＦ系統部、モータの回転とピックアップの位置を制御するサーボ系統部、デジタルデータ処理系統部（具体的には、ＤＳＰ８とＣＰＵ１０）を含む。ＲＦ系統部とサーボ系統部とはアナログ信号を処理する部位であるから、これらの部位は一般にアナログフロントエンド（ＡＦＥ）１２と呼ばれる。ＡＦＥ１２は、ピックアップで検出した微小信号を増幅するプリアンプやゲインコントロール、レーザの出力制御回路、サーボ系のエラー検出などの回路で構成される。
【０００３】
ＣＤ（コンパクトディスク）などの媒体をリードする（読み取る）場合、レーザピックアップ６にて読み込まれたデータが、ＡＦＥ１２でアナログ信号処理され、ＡＦＥ１２からのＲＦ信号がＤＳＰ８でデジタルデータ処理される。そのあとデータは、ＥＮＤＥＣ１４でＤＲＡＭ１６とバッファリングされながら各種主処理回路で信号処理（例えば、エラー訂正／検出など）される。更に、データは、ホストコンピュータとのインターフェース部であるＡＴＡＰＩインターフェース部１８を介してホストコンピュータ（例えば、パーソナルコンピュータ）によりリードされる（読み取られる）。図８におけるＣＰＵ１０は、ＥＮＤＥＣ１４を制御するものである。
【０００４】
ＡＴＡＰＩインターフェース部１８からホストコンピュータ２０へデータを転送する際の、ＡＴＡＰＩの転送方式には、ＰＩＯ、シングルワードＤＭＡ、マルチワードＤＭＡ、Ｕｌｔｒａ  ＤＭＡ転送などがある。これらのうち、Ｕｌｔｒａ  ＤＭＡ転送は高速な転送速度を備える転送方式である。
【０００５】
Ｕｌｔｒａ  ＤＭＡ転送には、ＭＯＤＥ０〜４までの５つのモードが規定されている。それぞれのモードの最大転送速度は、以下のようである。
・ＭＯＤＥ０：１６．６Ｍｂｙｔｅ／ｓｅｃ
・ＭＯＤＥ１：２２Ｍｂｙｔｅ／ｓｅｃ
・ＭＯＤＥ２：３３Ｍｂｙｔｅ／ｓｅｃ
・ＭＯＤＥ３：４４Ｍｂｙｔｅ／ｓｅｃ
・ＭＯＤＥ４：６６Ｍｂｙｔｅ／ｓｅｃ
【０００６】
Ｕｌｔｒａ  ＤＭＡ転送を利用する光ディスク装置２及びホストコンピュータ２０には、転送されたデータのＣＲＣ（Ｃｙｃｌｉｃ  Ｒｅｄｕｎｄａｎｃｙ  ｃｈｅｃｋ：巡回冗長検査）コードを、ホストコンピュータ２０と光ディスク装置２との両方で生成（計算）し、その結果を比較するというＣＲＣチェック機能が通常設けられている。このＣＲＣチェック機能は、データ転送の信頼性を向上させるためのものである。
【０００７】
ところで従来の技術では、光ディスク装置からホストコンピュータへのデータ転送の際にＣＲＣエラーが検出されると、転送速度を落とし再度転送を行う。この技術では信頼性は向上するが、転送速度を落とすためパフォーマンスはよくない。
【０００８】
例えば、以下の特許文献１に係る発明では、ＣＲＣエラーとなったコマンドのリトライの場合、ディスクコントローラ内の電流制御回路を制御してホストインターフェースのインターフェース信号ラインをドライブする電流の値を下げると共に、ディスクコントローラ内の転送速度制御回路を制御してデータ転送速度を下げて、ホストコンピュータとの間のデータ転送を開始させる。
【０００９】
【特許文献１】
特開平１１−２４９８２１号公報
【００１０】
【発明が解決しようとする課題】
本発明は、光ディスク装置からホストコンピュータにデータを転送する場合、ＣＲＣチェック機能のみでデータ転送の信頼性を高めるのではなく、光ディスク装置からのストローブ信号を制御することで更なる信頼性の向上をはかることを目的とする。更に、転送速度も落とすことなく転送ができることを目的とする。
【００１１】
【課題を解決するための手段】
本発明は、上記の目的を達成するために為されたものである。本発明に係る請求項１に記載の光ディスク装置は、
ＣＲＣコード生成手段を持つホストコンピュータと接続する光ディスク装置である。その光ディスク装置は、
試験的なデータをホストコンピュータに転送する手段と、
上記の試験的なデータに対してストローブ信号を微小間隔で立ち上がり又は立ち下がりをずらして生成する手段と、
上記ホストコンピュータの上記ＣＲＣコード生成手段からのＣＲＣコードと、光ディスク装置内で生成されるＣＲＣコードとを比較することにより、ホストコンピュータに対するデータ転送が正常か非正常かを検出する手段と、
上記のホストコンピュータに対するデータ転送が正常か非正常かを検出する手段が生成する複数の信号を基にして、適切なストローブ信号を選択するストローブ信号制御手段とを含む。
【００１２】
本発明に係る請求項２に記載の光ディスクインターフェースシステムは、
光ディスク装置と、該光ディスク装置に接続するホストコンピュータとを含み、
上記ホストコンピュータは、ＣＲＣコード生成手段を持ち、
上記光ディスク装置は、
試験的なデータをホストコンピュータに転送する手段と、
上記の試験的なデータに対してストローブ信号を微小間隔で立ち上がり又は立ち下がりをずらして生成する手段と、
上記ホストコンピュータの上記ＣＲＣコード生成手段からのＣＲＣコードと、光ディスク装置内で生成されるＣＲＣコードとを比較することにより、ホストコンピュータに対するデータ転送が正常か非正常かを検出する手段と、
上記のホストコンピュータに対するデータ転送が正常か非正常かを検出する手段が生成する複数の信号を基にして、適切なストローブ信号を選択するストローブ信号制御手段とを持つ。
【００１３】
本発明に係る請求項３に記載の光ディスク装置は、
転送されてくるデータに対してストローブ信号を微小間隔で立ち上がり又は立ち下がりをずらして連続的に生成する手段と、ＣＲＣコード生成手段とを持つホストコンピュータに接続する光ディスク装置である。その光ディスク装置は、
上記ホストコンピュータの上記ＣＲＣコード生成手段からのＣＲＣコードと、光ディスク装置内で生成されるＣＲＣコードとを比較することにより、ホストコンピュータに対するデータ転送が正常か非正常かを検出する手段と、
上記のホストコンピュータに対するデータ転送が正常か非正常かを検出する手段が生成する複数の信号を基にして、適切なストローブ信号を選択するストローブ信号制御手段とを含む。
【００１４】
本発明に係る請求項４に記載の光ディスクインターフェースシステムは、
光ディスク装置と、該光ディスク装置に接続するホストコンピュータとを含み、
上記ホストコンピュータは、転送されてくるデータに対してストローブ信号を微小間隔で立ち上がり又は立ち下がりをずらして連続的に生成する手段と、ＣＲＣコード生成手段とを持ち、
上記光ディスク装置は、
上記ホストコンピュータの上記ＣＲＣコード生成手段からのＣＲＣコードと、光ディスク装置内で生成されるＣＲＣコードとを比較することにより、ホストコンピュータに対するデータ転送が正常か非正常かを検出する手段と、
上記のホストコンピュータに対するデータ転送が正常か非正常かを検出する手段が生成する複数の信号を基にして、適切なストローブ信号を選択するストローブ信号制御手段とを持つ。
【００１５】
【発明の実施の形態】
以下、図面を参照しつつ本発明に係る好適な実施の形態を説明する。
【００１６】
図１に示すように、ホストコンピュータ２０と光ディスク装置２とをＡＴＡＰＩインターフェイス部１８を介して接続しＵｌｔｒａ  ＤＭＡ転送で転送する場合、データ（ＤＤ［１６：０］）とストローブ信号（ＤＳＴＲＯＢＥ）が、光ディスク装置２からホストコンピュータ２０に出力される。
【００１７】
図２にて、光ディスク装置２から出力されるデータとストローブ信号とのタイミングチャートの例を示す。Ｕｌｔｒａ  ＤＭＡ転送においてストローブ信号は、立ち上がりと立ち下がりの両方でデータをとるようになっている。ところで、ストローブ信号の立ち上がり（又は立ち下がり）に対するセットアップタイム（図２の「ｔＤＶＳ」）、ホールドタイム（図２の「ｔＤＶＨ」）は、ＡＴＡ／ＡＴＡＰＩの規格により拘束される（下記の表１参照。表１は、ＡＴＡ／ＡＴＡＰＩ５に準拠する。）。その規格を満たさないと、所望のデータ転送ができない可能性が生じる。
【表１】
2004334578.tif 000003
【００１８】
以下では、光ディスク装置２から出力されるデータに対して、ストローブの位置を変更して、それらに対応したＣＲＣコードをホストコンピュータで生成し、それを基にストローブ信号を制御する実施の形態を示す。
【００１９】
≪第１の実施の形態≫
図３に示される第１の実施の形態では、光ディスク装置２から出力されるデータに対して、ストローブの位置を光ディスク装置２側で変更する。
【００２０】
第１の実施の形態では、通常のデータを転送する前に、図４のようなデータ転送が試験的に行なわれる。ＤＤ［１５：０］は内部クロック（ｃｌｋ）に同期化している。従って、図４の（１）の区間に何クロック分含まれるかが決まる。この図４の場合では、５クロック分である。よって、内部クロックに同期化するストローブ信号を（１）の区間で生成できる数がストローブカウンタ３０で決定できる。図４の場合には、Ａ〜Ｊの１０種ということになる。
【００２１】
まず、ストローブを図４の「Ａ」の早いタイミングとして、ホストコンピュータ２０に転送する。そして、ホストコンピュータ２０のＣＲＣ生成回路３８でＣＲＣコードを生成し、そのＣＲＣコードを光ディスク装置２に返す。ホストコンピュータ２０から送られてきたＣＲＣコードと、予め光ディスク装置２側で生成されているＣＲＣコードとをＣＲＣ比較回路３２にて比較し、一致していればＣＲＣＯＫ［０］のビットを“１”にし、不一致であればＣＲＣＮＧ［０］のビットを“１”にする。図４の場合ストローブが１０種あるので、ＣＲＣＯＫ、ＣＲＣＮＧは１０ビットのバス幅となる。
【００２２】
次に、ストローブカウンタ３０が１カウントし、ストローブを図４の「Ｂ」のタイミングでホストコンピュータ２０に転送する。そして、上記と同様に、光ディスク装置２のＣＲＣ比較回路３２でＯＫ／ＮＧの判断をし、その結果をＣＲＣＯＫ［１］／ＣＲＣＮＧ［１］ビットで表す。
【００２３】
その後同様に、図４の「Ｃ」、「Ｄ」、「Ｅ」、「Ｆ」、「Ｇ」、「Ｈ」、「Ｉ」及び「Ｊ」のタイミングまでストローブをホストコンピュータ２０に転送し、生成されるＣＲＣコードの比較をする。その結果をＣＲＣＯＫ［２］〜［９］／ＣＲＣＮＧ［２］〜［９］で表す。
【００２４】
例えば、ＣＲＣＯＫ［９：０］が、
０  ０  ０  ０  １  １  １  １  １  ０
となっていたなら、ストローブ制御回路２８により、連続して“１”となっている点の中間点である「Ｇ」のストローブ信号が最適であるという判断がなされる。そして、「Ｇ」のストローブを選択するというストローブの制御が行なわれる。
【００２５】
以上のように、ＣＲＣＯＫ［９：０］の１０ビットの中で、連続して”１”となっている点の中間点をデバイス側のストローブ制御回路２８で検出することにより、最適なストローブを見つけることができる。
【００２６】
ところで、図３の第１の実施形態では、通常のデータ転送と試験的なデータ転送とを区別するために、ＣＲＣ比較回路３２から出力するＮＧビットが設けられている。このＮＧビットは、通常のデータ転送でＣＲＣエラーのときに“１”となるもので、その先にあるセレクタ３４、３６を制御する。通常のデータ転送のときは、これらのセレクタ３４、３６は“０”が選択される。よって、このとき、ＤＲＡＭ１６からのデータに対して、光ディスク装置２側とホストコンピュータ側２０との夫々にてＣＲＣを生成して、ＣＲＣ比較回路３２で比較することになる。
【００２７】
通常のデータ転送でＣＲＣエラー（即ち、ＮＧビットが“１”）であるときは図５に示すフローチャートの流れのようになる。データ転送（ステップＳ０２）にてＮＧビットが“１”になると（ステップＳ０４）、図３のセレクタ３４、３６は“１”が選択される。このとき、データ生成回路２２から試験的なデータがＤＤ［１５：０］としてホストコンピュータ２０に出力される（ステップＳ０６）。
【００２８】
その試験的データの開始により、ストローブカウンタ３０がストローブの位置を図４のようにカウントする。そのカウントに応じてストローブ制御回路２８から図４の「Ａ」のタイミングにてストローブをホストコンピュータ２０に出力する（ステップＳ０６）。そして、図４の「Ａ」のタイミングのストローブでのＣＲＣを、光ディスク装置２側とホストコンピュータ２０側とで生成し（ステップＳ１０）、ＣＲＣ比較回路３２にてＣＲＣ比較を行なう（ステップＳ１２）。その後、ＣＲＣＯＫ／ＣＲＣＮＧをストローブ制御回路２８に出力する。
【００２９】
以降、図４のＢ〜Ｊに係るストローブについても（ステップＳ０８）、同様な動作でＣＲＣが比較される。それらの比較結果を受けて、ストローブ制御回路２８が最適なストローブの位置を判断してストローブ生成回路２６に伝える。ストローブカウンタ３０からＣＲＣ比較器３２に出力されている信号は、図４のＪまでカウントし終わったら、ＮＧビットをクリア（“０”と）する（ステップＳ１６）。以上のことにより、ストローブ生成回路２６は最適なストローブを発信し、よって、最適な状態でデータ転送が行なわれる。
【００３０】
図４で示した例では、ストローブ信号を内部クロックに同期化させたが、更に細かくストローブを割り当てることもあり得る。このときは、内部クロックに非同期で（１）の区間に種々の間隔でストローブが立てられることになる。この場合も、ＣＲＣＯＫ／ＣＲＣＮＧとして、ストローブを立てる数（ＣＲＣコードを生成する回数）だけのレジスタが確保されねばならない。
【００３１】
≪第２の実施の形態≫
図６に示される第２の実施の形態では、光ディスク装置２から出力されるデータに対して、ストローブの位置をホストコンピュータ２０側で変更する。
【００３２】
第２の実施の形態に係る機構では、第１の実施の形態のようなデータ転送が試験的に行なわれる、ということはなく、該機構は通常のデータの転送において稼動する。まず、ＤＤ［１５：０］は内部クロック（ｃｌｋ）に同期化している。従って、図４の（１）の区間に何クロック分含まれるかが決まる。図４の場合では、５クロック分である。
【００３３】
ホストコンピュータ２０側では、光ディスク装置２の内部クロックと同様のクロックを生成させる。そのホストコンピュータ２０側のクロックに同期化するストローブ信号を図４（１）の区間で生成できる数がストローブカウンタ４０で決定できる。Ａ〜Ｊの１０種となる。
【００３４】
第２の実施の形態では、ホストコンピュータ２０のストローブカウンタ４０によってストローブを生成する。このストローブ生成は通常のデータ転送に対して行われるため、光ディスク装置２からは第１の実施の形態のように、何度も試験的にデータ転送をする必要がない。
【００３５】
最初に、ストローブがＡの点にあるときにＣＲＣコードを生成し、それを光ディスク装置２に返す。光ディスク装置２では、ホストコンピュータ２０から返されてきたＣＲＣコードと、予め光ディスク装置２側で生成されているＣＲＣコードとをＣＲＣ比較回路３２にて比較し、一致していればＣＲＣＯＫ［０］のビットを“１”にし、不一致であればＣＲＣＮＧ［０］のビットを“１”にする。ストローブが１０種あるので、ＣＲＣＯＫ、ＣＲＣＮＧは１０ビットのバス幅となる。
【００３６】
ストローブがＡの点にあるときにＣＲＣコードを生成してから、その後連続してＢ〜Ｊ点までのストローブについてホストコンピュータ２のＣＲＣ生成回路３８でＣＲＣを生成し、連続して光ディスク装置２に返す。そして、上記と同様に、光ディスク装置２のＣＲＣ比較回路３２で、連続してＯＫ／ＮＧの判断をし、その結果をＣＲＣＯＫ［１］〜［９］／ＣＲＣＮＧ［１］〜［９］で表す。
【００３７】
例えば、ＣＲＣＯＫ［９：０］が、
０  ０  ０  ０  １  １  １  １  １  ０
となっていたなら、ストローブ制御回路２８により、連続して“１”となっている点の中間点である「Ｇ」のストローブ信号が最適であるという判断がなされる。そして、「Ｇ」のストローブを選択するというストローブの制御が行なわれる。
【００３８】
この場合、Ｇ点はＡ点の３クロック後であるので、光ディスク装置２側から出力したストローブ信号の３クロック後の点が最適なストローブの位置となる。
【００３９】
ところで、図６の第２の実施形態においても、ＣＲＣ比較回路３２はＮＧビットを出力する。図７は、データ転送からＮＧビット確認・利用までのフローチャートである。ＤＲＡＭ１６からのデータをリードする（読み取る）とき、光ディスク装置２側とホストコンピュータ２０側とでそれぞれＣＲＣが生成され、ＣＲＣ比較回路３２で比較される。データ転送がうまくいっているとき（即ち、ＣＲＣ比較回路３２で差異が無いとき）は、ＮＧビットは“０”のままである。ＮＧビットが“０”のときは、光ディスク装置２のストローブ生成回路２６は、ストローブ制御回路２８からのストローブ位置を参照しない。よって、ホストコンピュータ２０は、そのままリード（読み取り）を継続する。
【００４０】
データ転送でエラーが生じたとき（即ち、ＣＲＣ比較回路３２で差異が生じたとき）は、ＮＧビットが“１”となり、データ転送中に予め決定しているストローブの位置がストローブ制御回路２８からストローブ生成回路２６に伝えられ、ストローブを制御する（図７・ステップＳ６２）。
【００４１】
最適なストローブ位置を予め決めておくために、転送するデータ（ステップ５２）に関して、ストローブカウンタ４０で連続するストローブ位置を決め（例えば、図４のＡ〜Ｊ）、ホストコンピュータ２０側のストローブ生成回路４２でそれぞれのストローブ位置に対してストローブ生成し（ステップＳ５４）、それぞれに付きＣＲＣを発行して光ディスク装置２側で比較しておき（ステップＳ５６）、最適なストローブ位置を決めておく（ステップＳ５８）。
【００４２】
ＮＧビットが“１”になるとストローブ制御回路２８から最適なストローブがストローブ生成回路２６に伝えられ、その後ＮＧビットはクリアされる（ステップＳ６２）。
【００４３】
第２の実施の形態の説明においても、ストローブ信号を内部クロックに同期化させたが、更に細かくストローブを割り当てることもあり得る。このときは、ホストコンピュータ２０のクロックに非同期で（１）の区間に種々の間隔でストローブが立てられることになる。この場合も、ＣＲＣＯＫ／ＣＲＣＮＧとして、ストローブを立てる数（ＣＲＣコードを生成する回数）だけのレジスタが確保されねばならない。
【００４４】
第１の実施の形態では、光ディスク装置２側がストローブを変化させるため、その都度ホストコンピュータ２０にストローブを転送しなければならないのに対して、第２の実施の形態では、ホストコンピュータ２０側がストローブを変化させるため、第１の実施の形態に比べると制御時間が短くて済み、更にデータ転送中でもストローブの制御を行なうことができる。
【００４５】
【発明の効果】
本発明を利用することにより、以下のような効果を得ることができる。
【００４６】
光ディスク装置からホストコンピュータにデータを転送する際に、ストローブの位置を最適化することで、転送の信頼性が向上する。
【００４７】
更に、光ディスク装置からホストコンピュータにデータを転送する際に、ホストコンピュータ側でストローブタイミングを変化させることも可能であるため、試験的なデータ転送をすることなく、本来のデータ転送中にホストコンピュータ側でストローブの位置を最適化することができ、よって、短時間で最適なストローブ制御をすることができる。
【図面の簡単な説明】
【図１】光ディスク装置からホストコンピュータに送られるデータとストローブ信号を示す模式図である。
【図２】光ディスク装置から出力されるデータとストローブ信号とのタイミングチャートの例である。
【図３】本発明の第１の実施の形態に係る光ディスク装置及びホストコンピュータにおける回路のブロック図である。
【図４】本発明に係るストローブ信号の発生のパターンである。
【図５】本発明の第１の実施の形態に係る動作のフローチャートの例である。
【図６】本発明の第２の実施の形態に係る光ディスク装置及びホストコンピュータにおける回路のブロック図である。
【図７】本発明の第２の実施の形態に係る動作のフローチャートの例である。
【図８】一般的な光ディスク装置のブロック図である。
【符号の説明】
２・・・光ディスク装置、１０・・・ＣＰＵ、１６・・・ＤＲＡＭ、１８・・・ＡＴＡＰＩインターフェース部、２０・・・ホストコンピュータ。
【図１】
2004334578.tif 000004
【図２】
2004334578.tif 000005
【図３】
2004334578.tif 000006
【図４】
2004334578.tif 000007
【図５】
2004334578.tif 000008
【図６】
2004334578.tif 000009
【図７】
2004334578.tif 000010
【図８】
2004334578.tif 000011